(57)【要約】【課題】像保持体からの像形成物質除去の完全自動化【解決手段】像保持体からの像形成物質除去装置は、像形成物質が付着している像保持体を搬送する搬送手段と、搬送する像保持体に対する像形成物質の付着状態を不安定にする不安定化処理手段Ｂと、不安定状態になった像形成物質を搬送する像保持体から剥離して取り除く剥離処理手段Ｃと、剥離処理後の像保持体の剥離状態を読み取る読取り手段２６と、読取り手段による読取り検出結果から未除去画像の存否を判断する判断手段（４０）、判断手段による判断に基づいて未除去画像の存在が認められた像保持体には、該像保持体に未除去画像の存在が認められなくなるまで、不安定化処理、剥離処理及び未除去画像の存否判断を、自動的に限定回数以内繰返し再行するように、未除去画像の存在が認められない像保持体は再生像保持体として搬出するように装置作動系を制御する作動制御手段（４０）とから構成されている。【選択図】　　　　図１
2004045760.tif 000002
【特許請求の範囲】
【請求項１】
表面に像形成物質が安定して付着している像保持体を搬送させて、搬送中に像形成物質を取り除く、像保持体からの像形成物質除去方法において、
搬送する像保持体に対する像形成物質の付着状態を不安定にする不安定化処理工程と、
不安定状態になった像形成物質を搬送する像保持体から剥離して取り除く剥離処理工程と、
剥離処理後の搬送する像保持体の剥離状態の読み取り手段により読み取り検出する読取り検出工程と、
読取り検出工程における読取り検出結果により未除去画像の存否を判断する判断工程と、
判断工程による判断に基づいて、未除去画像の実質的存在が認められた場合には、該像保持体に未除去画像の実質的存在が認められなくなるまで、像保持体の搬送を不安定化処理工程の前まで逆行させた上、該像保持体に対し不安定化処理工程及びそれに続く剥離処理工程を繰返し再行する工程と、
未除去画像の実質的存在が認められない像保持体を搬出する工程と
から構成された像保持体からの像形成物質除去方法。
【請求項２】
判断工程における未除去画像の実質的存在の判断は、任意に設定し得る基準レベルとの比較により行われる請求項１に記載の像保持体からの像形成物質除去方法。
【請求項３】
不安定化処理工程及び剥離処理工程の繰返し再行回数を計数し、計数再行回数と任意に設定し得る限界回数とを比較し、計数再行回数が限界回数に達し、且つ判断手段による判断で未除去画像の実質的存在が認められた場合には、像保持体を廃棄する工程を具備した請求項１又は請求項２に記載の像保持体からの像形成物質除去方法。
【請求項４】
不安定化処理工程及び剥離処理工程の繰返し再行回数の計数は、像保持体の搬送の逆行回数を記録することにより行う請求項３に記載の像保持体からの像形成物質除去方法。
【請求項５】
不安定化処理工程及び剥離処理工程の繰返し再行回数の計数は、像保持体の搬送中において像保持体にマークを印字し、そのマークを検知しその検知数に基づいて行う請求項３に記載の像保持体からの像形成物質除去方法。
【請求項６】
表面に像形成物質が安定して付着している像保持体を搬送する搬送手段と、搬送する像保持体に対する像形成物質の付着状態を不安定にする不安定化処理手段と、不安定状態になった像形成物質を搬送する像保持体から剥離して取り除く剥離処理手段と、剥離処理後の像保持体の剥離状態を読み取る読取り手段と、読取り手段による読取り検出結果から未除去画像の存否を判断する判断手段と、判断手段による判断に基づいて未除去画像の実質的存在が認められた像保持体には、該像保持体に未除去画像の実質的存在が認められなくなるまで、搬送手段による像保持体の搬送の不安定化処理手段の前までの逆行を行った上でのそれに続く不安定化処理、剥離処理及び未除去画像の存否判断の再行を繰返すように、未除去画像の実質的存在が認められない像保持体は再生像保持体として搬出するように装置作動系を制御する作動制御手段とから構成された像保持体からの像形成物質除去装置。
【請求項７】
未除去画像の存否の基準となる基準レベルを任意に設定し得る基準レベル設定手段を具備し、判断手段は、該像保持体に未除去画像と基準レベル設定手段で設定された基準レベルとの比較を行い、その結果を未除去画像の存否の基準とする判断手段である請求項６に記載の像保持体からの像形成物質除去装置。
【請求項８】
不安定化処理工程及び剥離処理工程の繰返し再行回数を計数する計数手段及び工程再行限界回数を任意に設定し得る基準レベル設定手段、像保持体に未除去画像と基準レベル設定手段で設定された基準レベルとの比較を行い、計数再行回数と限界回数とを比較し、計数再行回数が限界回数に達したか否かを判断すると共に、読取り手段による読取り検出結果から未除去画像の存否を判断する判断手段、及び判断手段による判断に基づいて、未除去画像の実質的存在が認められない像保持体は再生像保持体として搬出するように、未除去画像の実質的存在が認められる像保持体は、計数再行回数が限界回数に達しないうちは、未除去画像の実質的存在が認められなくなるまで不安定化処理、剥離処理及び未除去画像の存否判断を繰返し再行するように、計数再行回数が限界回数に達しても未除去画像の実質的存在が認められた像保持体は廃棄するように、装置作動系を制御する作動制御手段とを具備した請求項６又は請求項７に記載の像保持体からの像形成物質除去装置。
【請求項９】
搬送手段による像保持体の搬送を不安定化処理手段の前までの逆行回数を計数し、それを再行回数とする計数手段を具備した請求項８に記載の像保持体からの像形成物質除去装置。
【請求項１０】
不安定化処理工程、剥離処理工程及び判断工程の実施毎に像保持体の搬送中において像保持体にマークを印字するマーク印字手段、マークを検知する手段及びその検知マーク数に基づく数を計数する繰返し再行回数とする計数手段を具備した請求項８に記載の像保持体からの像形成物質除去装置。
【発明の詳細な説明】
【０００１】
【産業上の利用分野】
この発明は、複写機、ファクシミリ、プリンタ、印刷機等の画像形成装置によって像形成物質が安定に付着した像保持体、例えば転写シートから像形成物質を除去して像保持体を再生する技術に関する。
【０００２】
【従来の技術】
従来の技術における複写機、ファクシミリ、プリンタ、印刷機等の画像形成装置によって像形成物質が安定に付着した像保持体から像形成物質を除去して像保持体を再生する装置としては、例えば特開平７−１１０６４３号公報に開示されているものがある。
【０００３】
上記の従来の術技における装置は、像形成物質が安定に付着した像保持体を搬入し、その像保持体から像形成物質を除去する手段を備え、それにより像形成物質除去工程を行い、その結果の残存像形成物質の存有状態を判別する手段を備え、それによる判別で、所定範囲にまで像形成物質が除去されたものは再生像保持体としてトレーに搬出され、所定範囲にまで像形成物質が除去されていないものは、再処理像保持体として別のトレーに搬出され、トレー内の再処理像保持体は、操作者により取り出されて再び装置に搬入されるようになっている。
【０００４】
そして、再処理は、所定範囲にまで像形成物質が除去されるまで所定回数以内繰り返される。所定回数まで再処理されても、所定範囲にまで像形成物質が除去されていないものは、廃棄像保持体として排出されるようになっている。
【０００５】
【発明が解決しようとする課題】
上記の従来の技術における特開平７−１１０６４３号公報に開示されているものは、次のような問題がある。
像保持体からの像形成物質の除去工程が繰り返されるに際して、再処理においては、再処理像保持体としてトレーに搬出された像保持体は、操作者の手を介して取り出されて再び装置に搬入される。従って自動化されず、操作者の作業が交要で、作業効率が低い。
【０００６】
【課題を解決するための手段】
この発明の像保持体からの像形成物質除去方法は、表面に像形成物質が安定して付着している像保持体を搬送しながら像保持体に対する像形成物質の付着状態を不安定にする不安定化処理工程と、不安定状態になった像形成物質を搬送する像保持体から剥離して取り除く剥離処理工程と、剥離処理後の搬送する像保持体の剥離状態の読取り手段により読み取り検出する工程と、読取り手段による読み取り検出結果を判断手段で判断して、未除去画像の実質的存在が認められた場合には、像保持体の搬送を逆行させた上で、不安定化処理工程および次の剥離処理工程を再び行なう工程と、未除去画像の実質的存在が認められなくなるまで、像保持体の搬送の逆行、不安定化処理工程及び剥離処理工程が繰り返えされる工程と、未除去画像の実質的存在が認められない像保持体を搬出する工程とから構成されている。
【０００７】
判断手段における未除去画像の実質的存在の判断は、任意に設定し得る基準レベルとの比較により行われ、像保持体の搬送の逆行、不安定化処理工程及び剥離処理工程の繰り返えし回数を計数手段により計数し、計数回数と任意に設定し得る限界回数と比較し、計数回数が限界回数に達し、且つ判断手段による判断で未除去画像の実質的存在が認められた場合には、像保持体を廃棄するのである。
【０００８】
そして、その像保持体からの像形成物質除去方法を行う装置は、表面に像形成物質が安定して付着している像保持体を搬送する搬送手段と、搬送される像保持体に対する像形成物質の付着状態を不安定にする不安定化処理手段と、不安定状態になった像形成物質を搬送される像保持体から剥離して取り除く剥離処理手段と、剥離処理後の搬送される像保持体の剥離状態を読み取り検出する読取り手段と、読取り手段による読み取り検出結果に基づき未除去画像の存否を判断し、未除去画像の存在信号を出力する判断手段と、判断手段からの未除去画像の存在信号が出力される限り該信号に基づき、搬送手段を逆行させた上で、不安定化処理手段、剥離処理手段、像保持体の剥離状態読取り手段及び判断手段を再び作動させる作動制御手段と、未除去画像の実質的存在が認められない像保持体が再生像保持体として搬出される搬出手段とから構成されている。
【０００９】
未除去画像の存否の判断手段としては、未除去画像の存否の基準となる基準レベルを任意に設定し得る基準レベル設定手段を具備し、基準レベル設定手段で設定された基準レベルとの比較により未除去画像の存否を判断し、読取り手段による読み取り検出結果が基準レベルに達しない場合には未除去画像の存在信号を出力するようになっている。
【００１０】
更に、搬送手段を逆行させた上で、不安定化処理手段、剥離処理手段、像保持体の剥離状態読取り手段及び判断手段を再び作動させる作動制御手段の繰返し作動回数を計数する計数手段、繰返し作動回数の限界回数を任意に設定し得る限界回数設定手段、計数された繰返し作動回数を限界回数と比較し、繰返し作動回数が限界回数に達した場合には限界回数信号を出力する比較手段、比較手段からの限界回数信号と判断手段からの除去画像の存在信号との出力に基づいて再生像保持体の搬出手段とは別に像保持体を廃棄する分別排出手段が具備されている。
【００１１】
【発明の実施の形態】
一般に、複写機、ファクシミリ、プリンタ、印刷機等の画像形成装置によって例えばトナー等のような像形成物質が例えば紙のような像保持体、即ちシートに安定に付着され、転写シートが作成されるのであるが、この発明は、その転写シートから像形成物質（以下トナーという）を除去して転写シートを再生する技術に関し、発明の実施の形態における転写シートからトナーを除去する方法を行う像形成物質除去装置を図面に従って説明する。
【００１２】
図１に示すように、像形成物質除去装置には、転写シートの搬送経路が形成され、その上流側から転写シート供給手段Ａ、剥離液を転写シートに塗布する剥離液塗布ユニットＢ、転写シートからトナーを剥離する剥離ユニットＣ及びトナーが除去された再生転写シートを排出する再生転写シート排出ユニットＤが順次配設されている。
【００１３】
転写シート供給手段Ａは、自動的に連続して転写シートを供給するカセット供給ユニット１と手操作で１枚毎供給する手差し供給ユニット２とが併設されていると共に、次の剥離液塗布ユニットＢの入口側には、カセット供給ユニット１からの供給路と手操作で１枚宛供給する手差し供給ユニット２からの供給路とを選択切換える第１分離爪３が設けられており、カセット供給ユニット１及び手差し供給ユニット２とからは夫々図示しないモータで回転駆動される搬送ローラー５，５・・・を介して、供給ユニットを選択するように制御されて電磁作動で開閉する第１分離爪３により選択的され、剥離液塗布ユニットＢに転写シートを１枚宛供給するようになっている。
【００１４】
剥離液塗布ユニットＢは、供給された転写シートを両面から挟むように塗布ローラ６と押圧ローラ７とが対向して回転自在に設けられ、塗布ローラ６は、転写シートを下流に向って送ると共に逆転可能な図示しない駆動手段により回転駆動され、押圧ローラ７は転写シートを適宜の押圧力で塗布ローラ６に押圧するようになっている。
【００１５】
塗布ローラ６の下方には、転写シートに安定に付着したトナーを転写シートから剥離され易い状態にする作用をもつ剥離液が溜められた剥離液貯槽８が設けられ、塗布ローラ６の下部が剥離液貯槽８中の剥離液に直接浸漬されているか、剥離液貯槽８中の剥離液に浸漬されている回転自在の供給ローラの上部に接触しているか、又は供給ローラと塗布ローラ６とに無端の塗布ベルトが巻き掛けられている。いずれにしても、回転する塗布ローラ６の外周面に剥離液貯槽８から剥離液が供給されるようになっている。
【００１６】
剥離ユニットＣは、剥離液が塗布された転写シートを両面から挟むように加熱ローラ９と押圧ローラ１０とが対向して回転自在に設けられ、加熱ローラ９は内部に加熱手段、例えば外部から制御される電熱手段を内蔵しており、転写シートを下流に向って送るように図示しないモータにより回転駆動され、押圧ローラ１０は転写シートを適宜の押圧力で加熱ローラ９に押圧するようになっている。
【００１７】
更に、押圧ローラ１０を含めた回転自在のテンションローラ１１及び複数のローラ１２，１２・・・が設けられ、押圧ローラ１０、テンションローラ１１及びローラ１２，１２・・・には、無端の剥離ベルト１３が巻き掛けられ、剥離ベルト１３は、加熱ローラ９に従って連れ回りするようになっている。
逆に、剥離ベルト１３の方が動力駆動手段で回動駆動され、加熱ローラ９の方が連れ回りするようにしてもよく、加熱ローラ９が転写シートを適宜の押圧力で押圧ローラ１０に押圧するようになっていてもよい。
【００１８】
ローラ１０の１つに対向して図示しないモータにより剥離ベルト１３の走行方向と逆行する方向に回転駆動される掻取りローラ１４が剥離ベルト１３を挟むように設けられ、掻取りローラ１４の下方には、剥離ベルト１３から掻取りローラ１４により掻き取られた廃トナーを受ける廃トナー貯槽１５が備えられている。そして、図示しないモータで回転駆動される搬送ローラー５を介して、再生転写シート排出ユニットＤに転写シートを１枚宛供給するようになっている。
【００１９】
再生転写シート排出ユニットＤは、剥離ユニットＣの下流搬送経路において複数に分岐された搬送経路の分岐搬送手段１６ａ，１６ｂと、分岐搬送手段１６ａ，１６ｂの分岐点に設けられ、搬送手段を選択するように制御される例えば電磁作動で開閉する第２分離爪１７ａと、分岐搬送手段１６ａ，１６ｂの出口のトレイ１８ａ，１８ｂとから構成されている。トレイ１８ａは、再生転写シート用であり、トレイ１８ｂは、廃棄転写シート用である。
【００２０】
更に、転写シートの搬送経路おいて、カセット供給ユニット１の下流、剥離液塗布ユニットＢの入口及び出口並びに剥離ユニットＣの出口には、夫々搬送位置センサ２１，２２，２３，２４が配設されている。
【００２１】
搬送位置センサ２１，２２，２３，２４は、搬送路における各位置の転写シートの存否を検知し、その検知信号が制御装置４０に入力されるので、ジャムが生じた場合のジャム発生位置が検知され、それに基づいてジャム処理作業が行われる。
更に、通過する転写シートの残存画像状態を読み取る読取りユニット２６が搬送位置センサ２４に略対向した位置に配設されている。
【００２２】
上記のように構成されている像形成物質除去装置の各部（ローラ、加熱ローラ、、分離爪等を）作動する作動系手段３０（モータ、クラッチ、電熱手段、電磁手段、センサ、等）を制御する制御装置４０が設けられており、その概略構成は、図２に示されている。
【００２３】
制御装置４０は、ＣＰＵ部４１、ＲＯＭ部４２、ＲＡＭ部４３、ＡＤ変換部４４、各種入出力を管理するＩＯ部４５、各数値設定、作動条件・状態表示、装置運転等を行う操作・表示部４６及び読取り画像を処理する画像処理部４７から構成されている。
【００２４】
上記の像形成物質除去装置の作動について図３のフローチャートを参照して説明する。
ステップ１　２つの供給ユニット１，２のいずれか選択するように第１分離爪３を適宜開閉するべく、制御装置４０からの指令に基づく作動系手段３０、即ちソレノイドの作動が行われる。かくして、いずれかに選択されたカセット供給ユニット１又手差し供給ユニット２から搬送ローラー５，５・・・を介して送られるトナーを除去すべき転写シートは、トナーが付着している面を図１で下側にして剥離液塗布ユニットＢに向って搬送される。
【００２５】
ステップ２　剥離液塗布ユニットＢにおいては、剥離液貯槽８中の剥離液が、直接、供給ローラを介して、又は塗布ベルトを介して回転する塗布ローラ６の外周面に連続して供給されている。剥離液塗布ユニットＢに達した転写シートは、図１で時計回りに回転駆動される塗布ローラ６と回転自在の押圧ローラ７とに挟まれる形で、剥離液塗布ユニットＢを通過する。
【００２６】
かくして、転写シートのトナーが付着している面に剥離液が全面的に塗布される。
剥離液が塗布されたことにより、トナーは転写シート表面から剥離され易い状態になり、剥離ユニットＣに向って搬送される。
【００２７】
ステップ３　剥離ユニットＣにおいては、サーミスタからの入力に基づいて制御装置４０において制御された温度に内蔵ヒータにより加熱された加熱ローラ９又は、無端の剥離ベルト１３が巻き掛けられたローラ１２中の駆動ローラが、制御装置４０からの指令に基づき作動系手段３０により、加熱ローラ９が時計回りに回転していると共に、押圧ローラ１０，１０、テンションローラ１１及びローラ１２，１２・・・に巻き掛けられた無端の剥離ベルト１３は反時計回りに回動している。
【００２８】
剥離ユニットＣに達した転写シートは、加熱ローラ９と剥離ベルト１３とに挟まれる形で、剥離ベルト１３共々押圧ローラ１０と加熱ローラ９との間でに押圧されながら剥離ユニットＣを通過する。その際、転写シート表面から剥離され易い状態になっている転写シート上のトナーは、転写シート共々走行する剥離ベルト１３に順次付着し、転写シートより剥ぎ取られる。
【００２９】
他方、転写シートより剥ぎ取ったトナーが付着した剥離ベルト１３は、反時計回りに回動して、掻取りローラ１４に到ると、押圧ローラ１０と掻取りローラ１４とに挟まれ、押圧された状態となって両者間を通過する。その際、制御装置４０からの指令に基づき作動系手段３０、即ちモータにより剥離ベルト１３の回動と逆方向（時計回り）に回転する掻取りローラ１４により剥離ベルト１３のトナーが付着した面からトナーが掻き取られる。そして掻き取られたトナーは廃トナーとして廃トナー貯槽１５内に落下する。
【００３０】
ステップ４　剥離ユニットＣを通過し、トナー剥ぎ取り工程を受けた転写シートは、更に読取りユニット２６を通過する。
そして、トナー剥ぎ取り工程を受けたにも拘らず転写シートに残存するトナーの画像の状態が読取りユニット２６に読み取られる。
【００３１】
ステップ５　読取りユニット２６からそれらの画像信号が制御装置４０のＡＤ変換部４４に入力される。
残存トナーの画像が実質的に存在し、入力された画像信号が不十分である場合には、制御装置４０の画像処理部４７に入力され、各種の画像処理が行われるた上で、ＡＤ変換部４４に入力される。
そして、ＡＤ変換部４４を介してＣＰＵ部４１に入力された画像の画素の数Ｎが計数されると共に、その画素数Ｎが適宜設定されている規定数Ｍと比較される。
【００３２】
ステップ６Ａ　０＝Ｎ＜Ｍの場合は、第２分離爪１７ａは、転写シートを分岐搬送手段１６ａに誘導するように制御装置４０からの指令に基づき作動系手段３０、即ち電磁手段により作動する。
転写シートは、再生転写シートとして、時計回りに回転する搬送ローラー５により分岐搬送手段１６ａに送られ、更に分岐搬送手段１６ａによりトレイ１８ａに排出され、再使用される。
【００３３】
ステップ６Ｂ　Ｎ≧Ｍの場合、下記のステップ７における、搬送ローラー５，５・・・による搬送方向の逆転回数Ｔが、適宜設定されている転写シート再生限度数Ｓと比較される。（Ｎ≧Ｍで、初めてトナー剥ぎ取り工程が行われる転写シートの場合は、当然Ｔ＝０である）
【００３４】
ステップ７Ａ　０＝Ｔ＜Ｓ（Ｎ≧Ｍ）の場合は、搬送ローラー５，５・・・は、逆転（時計回り）して転写シートを逆送（右行）するように、制御装置４０からの指令に基づき作動系手段３０、即ちモータ乃至クラッチにより作動する。
その際、制御装置４０において、逆転作動毎にその逆転作動回数が加算記録される。
【００３５】
ステップ７Ｂ　Ｔ≧Ｓ（Ｎ≧Ｍ）の場合は、第２分離爪１７ａは、転写シートを分岐搬送手段１６ｂに誘導するように制御装置４０からの指令に基づき作動系手段３０、即ち電磁手段により作動する。
転写シートは、廃棄転写シートとして、時計回りに回転する搬送ローラー５により分岐搬送手段１６ｂに送られ、更に分岐搬送手段１６ｂによりトレイ１８ｂに排出されて、廃棄される。
【００３６】
ステップ８　ステップ７Ａで逆送されるする転写シートの搬送路上の位置は、各所定位置に設置された搬送位置センサ２４，２３，２２により検知され、その検知信号は、制御装置４０に入力される。それにより、転写シートが所定位置、即ち剥離液塗布ユニットＢの入口位置にまで達したことが検知されるまで、制御装置４０の指令に基づき作動系手段３０により搬送ローラー５，５・・・は逆転し、転写シートが所定位置に達したことが検知されると、搬送ローラー５，５・・・は停止される。
【００３７】
ステップ９　上記ステップ２以降の工程が繰り返される。
【００３８】
上記の実施の形態においては、像形成物質除去装置における像形成物質除去工程の再行回数は、制御装置４０で、逆転作動回数として逆転作動毎に加算記録される方式が採用されているが、次のような別の方式が採用されていてもよい。
【００３９】
通過する転写シートの一部、例えば端縁部にマークを付けるマークユニット２５が搬送位置センサ２３と剥離ユニットＣと間に配設され、残存するトナーの画像の状態を読み取る読取りユニット２６に、マークユニット２５が付けたマークを読み取る機能をもたせてある。
【００４０】
上記のステップ２の後、剥離液塗布ユニットＢから出た転写シートは、マークユニット２５を通過する際、適宜の端縁部には、その通過毎にマークが印字される。
そして、上記のステップ４において、転写シートが読取りユニット２６を通過する際、残存するトナーの画像の状態と共に、印字されたマークが読取りユニット２６に読み取られる。
【００４１】
上記のステップ５において、読取りユニット２６からマーク信号が制御装置４０のＡＤ変換部４４を介してＣＰＵ部４１に入力され、マーク数Ｐが計数されると共に、逆転回数Ｔに相当する再行回数（Ｐ−１）が適宜設定されている転写シート再生限度数Ｓと比較される。その結果で、上記ステップ７Ａ又は７Ｂが行なわれる。
【００４２】
【発明の効果】
この発明の像保持体に安定に付着された像形成物質を像保持体から除去して像保持体を再生する方法及び装置においては、毎回の除去処理後における未除去画像の許容範囲の存否が自動的に判断され、未除去画像の存在の場合、許容範囲で未除去画像がなくなるまで、所定限定処理回数以内で除去処理が再行される。
【００４３】
そして、許容範囲で未除去画像がない再生像保持体と再生不能な廃棄像保持体とが自動的に分別される。
特に、除去処理の再行も、作業者の手を煩わすことなく、全く自動的に行われ、誤りがない作業が高効率で遂行される。
【図面の簡単な説明】
【図１】この発明の実施の形態における像形成物質除去装置の構成図である。
【図２】この発明の実施の形態における像形成物質除去装置の制御装置及び作動系手段のブロック図ある。
【図３】この発明の実施の形態における像形成物質除去方法のフローチャートである。
【図４】この発明の別の実施の形態における像形成物質除去方法のフローチャートである。
【符号の説明】
Ａ　転写シート供給手段
Ｂ　剥離液塗布ユニット
Ｃ　剥離ユニット
Ｄ　再生転写シート排出ユニット
１　カセット供給ユニット
２　手差し供給ユニット
３　第１分離爪
５　搬送ローラー
６　塗布ローラ
７　押圧ローラ
８　剥離液貯槽
９　加熱ローラ
１０　押圧ローラ
１１　テンションローラ
１２　ローラ
１３　剥離ベルト
１４　掻取りローラ
１５　廃トナー貯槽
１６ａ，１６ｂ　分岐搬送手段
１７　第２分離爪
１８ａ，１８ｂ　トレイ
２１，２２，２３，２４　搬送位置センサ
２５　マークユニット
２６　読取りユニット
３０　作動系手段
４０　制御装置
４１　ＣＰＵ部
４２　ＲＯＭ部
４３　ＲＡＭ部
４４　ＡＤ変換部
４５　ＩＯ部
４６　操作・表示部
４７　画像処理部
【図１】
2004045760.tif 000003
【図２】
2004045760.tif 000004
【図３】
2004045760.tif 000005
【図４】
2004045760.tif 000006